(57)【要約】　　【課題】ＩＣタグの監視手段に記憶された内容を改竄する不正や、監視手段の作動制御プログラムを改竄する不正を防止し得る遊技機を提供する。　　【解決手段】パチンコ機のコントロールボックス２０１は、カバー部材２０２に、識別データを記憶したＩＣタグ８６が取り付けられている。また、Ｒ／Ｗユニット５６を収納した外ケース本体２０４に、取付片３３が突設されており、その取付片３３に、アンテナ６８が取り付けられている。さらに、主制御基板４１を収納した中ケース本体２０３に、アンテナ挿通孔２２６が穿設されている。かかるカコントロールボックス２０１は、カバー部材２０２が閉じられている場合には、取付片３３がアンテナ挿通孔２２６を挿通しており、アンテナ６８とＩＣタグ８６とのＲＦ送受信が可能であるが、カバー部材２０２開放された場合には、アンテナ６８とＩＣタグ８６とのＲＦ送受信ができなくなる。【選択図】　図８
2004081848.tif 000002
【特許請求の範囲】
【請求項１】
無線による所定の呼出波を受信すると記憶している固有の識別データを含む反射波を無線により所定範囲内に出力する複数のＩＣタグが、所定の可動部位および／または開放部位に設置されており、
　それらの各ＩＣタグに対して呼出波を送信するとともに、各ＩＣタグが出力する反射波を受信し、かつ、呼出波を送信してから所定時間内に反射波を受信しなかった場合、あるいは、受信した反射波に含まれた識別データが予め登録されている識別データと異なっている場合に異常と判定する監視手段と、
　その監視手段から送信された呼出波を外部に出力するとともに各ＩＣタグからの反射波を入力する複数のアンテナとが設けられているとともに、
　前記監視手段が、分割式の収容ケースに収納されており、かつ、
　その分割式の収容ケースの片方に、前記ＩＣタグの内の１つが設置されており、なおかつ、他方に、前記アンテナの内の１つが設けられており、
　そのアンテナの位置が、分割式の収納ケースを組み付けた場合にＩＣタグによる反射波の出力範囲内となり、収納ケースを開放した場合にＩＣタグによる反射波の出力範囲外となるように調整されていることを特徴とする遊技機。
【請求項２】
監視手段による判定結果、監視手段が反射波を受信できる状態から反射波を受信できない状態に変わった時刻、監視手段が反射波を受信できない状態から受信できる状態に変わった時刻、または、監視手段が予め登録されている識別データと異なる識別データを受信した時刻の内の少なくとも１つを含む監視履歴データを記憶する記憶手段が設けられており、
　その記憶手段が、監視手段とともに、ＩＣタグとアンテナとを取り付けた分割式の収容ケースに収納されていることを特徴とする請求項１に記載の遊技機。
【請求項３】
監視履歴データを外部に出力する出力手段が設けられていることを特徴とする請求項２に記載の遊技機。
【請求項４】
作動内容を制御するための制御素子を搭載した主制御基板が設けられており、その主制御基板が、監視手段とともに、ＩＣタグとアンテナとを取り付けた分割式の収容ケースに収納されていることを特徴とする請求項１〜３のいずれかに記載の遊技機。
【請求項５】
分割式の収納ケースが、
　監視手段および／または記憶手段を収納する第一ケース本体と、主制御基板を収納する第二ケース本体と、ＩＣタグを取り付けたカバー部材とからなるものであるとともに、
　第一ケース本体に取付片が突設されており、かつ、その取付片にアンテナが取り付けられている一方、
　第二ケース本体に挿通孔が穿設されており、
　第一ケース本体の取付片が第二ケース本体の挿通孔を挿通した状態で、第一ケース本体の取付片に取り付けられたアンテナが、カバー部材に取り付けられたＩＣタグと近接した状態になっていることを特徴とする請求項４に記載の遊技機。
【請求項６】
所定条件の成立により動作する可動部材が設けられており、
　その可動部材にＩＣタグが取り付けられているとともに、そのＩＣタグによる反射波の出力範囲内であって前記可動部材とは異なる部位にアンテナが取り付けられていることを特徴とする請求項１〜５のいずれかに記載の遊技機。
【請求項７】
監視手段による判定結果が前回の判定から継続して正常である場合、および、監視手段による判定結果が前回の判定から継続して異常である場合には、記憶手段が監視履歴データを記憶しないことを特徴とする請求項２〜６のいずれかに記載の遊技機。
【請求項８】
監視手段が、ＩＣタグに対して呼出波を送信して異常か否かの判定を行った後、直ちに、再度、ＩＣタグに対して呼出波を送信することを特徴とする請求項１〜７のいずれかに記載の遊技機。
【請求項９】
請求項３〜８のいずれかに記載された遊技機と、その遊技機の出力手段が出力した監視履歴データの管理を行う管理コンピュータとを接続したことを特徴とする遊技機の不正監視システム。
【発明の詳細な説明】
【技術分野】
【０００１】
　本発明は、パチンコ機、スロットマシーン等の遊技機に関するものであり、詳しくは、不正行為が行われやすい部位を監視手段によって常に監視することにより、不正行為をリアルタイムで発見することができ、不正行為を効果的に防止することが可能な遊技機に関するものである。
【背景技術】
【０００２】
　遊技機の一種であるパチンコ機においては、作動内容を制御するＲＯＭ等の制御素子を偽造されたものにすり替える不正行為が行われることがある。このため、かかる不正行為を防止するために、たとえば、識別情報を記憶したＩＣタグを制御基板収納ボックスの表面に貼着するとともに、そのＩＣタグの近傍に、監視手段であるＩＤ読取装置を設置し、そのＩＤ読取装置によりＩＣタグの識別情報を確認することによって、制御基板収納ボックスが正常な状態であるか否かを判断する不正防止方法（たとえば、特許文献１）が考案されている。
【０００３】
【特許文献１】特開２０００−２８８２１８号公報
【発明の開示】
【発明が解決しようとする課題】
【０００４】
　しかしながら、上記した特開２０００−２８８２１８号公報に記載の不正防止方法は、ＩＣタグの監視手段であるＩＤ読取装置が制御基板収納ボックスの外側に配置されているため、ＩＤ読取装置に記憶された内容が改竄される事態や、ＩＣタグの識別情報を確認できないようにＩＤ読取装置が破壊される事態が起こり得る。また、ＩＤ読取装置の監視動作を制御するプログラムが勝手に変更されてしまう事態も起こり得る。さらに、ＩＣタグとＩＤ読取装置の相対位置を変えることなく制御基板収納ボックスが開放されて、作動内容を制御する制御素子がすり替えられてしまう虞もある。
【０００５】
　本発明の目的は、上記従来の不正防止手段が有する問題点を解消し、ＩＣタグの監視手段に記憶された内容を改竄する不正、監視手段を破壊したり監視手段の作動制御プログラムを改竄したりする不正、制御基板収納ボックスを開放して制御素子をすり替える不正等の不正を効果的に防止することが可能な遊技機を提供することにある。
【課題を解決するための手段】
【０００６】
　かかる本発明の構成のうち、請求項１に記載された発明の構成は、無線による所定の呼出波を受信すると記憶している固有の識別データを含む反射波を無線により所定範囲内に出力する複数のＩＣタグが、所定の可動部位および／または開放部位に設置されており、それらの各ＩＣタグに対して呼出波を送信するとともに、各ＩＣタグが出力する反射波を受信し、かつ、呼出波を送信してから所定時間内に反射波を受信しなかった場合、あるいは、受信した反射波に含まれた識別データが予め登録されている識別データと異なっている場合に異常と判定する監視手段と、その監視手段から送信された呼出波を外部に出力するとともに各ＩＣタグからの反射波を入力する複数のアンテナとが設けられているとともに、前記監視手段が、分割式の収容ケースに収納されており、かつ、その分割式の収容ケースの片方に、前記ＩＣタグの内の１つが設置されており、なおかつ、他方に、前記アンテナの内の１つが設けられており、そのアンテナの位置が、分割式の収納ケースを組み付けた場合にＩＣタグによる反射波の出力範囲内となり、収納ケースを開放した場合にＩＣタグによる反射波の出力範囲外となるように調整されている遊技機にある。
【０００７】
　請求項２に記載された発明の構成は、請求項１に記載された発明において、監視手段による判定結果、監視手段が反射波を受信できる状態から反射波を受信できない状態に変わった時刻、監視手段が通信できない状態から通信できる状態に変わった時刻、または、監視手段が予め登録されている識別データと異なる識別データを受信した時刻の内の少なくとも１つを含む監視履歴データを記憶する記憶手段が設けられており、その記憶手段が、監視手段とともに、ＩＣタグとアンテナとを取り付けた分割式の収容ケースに収納されていることにある。
【０００８】
　請求項３に記載された発明の構成は、請求項２に記載された発明において、監視履歴データを外部に出力する出力手段が設けられていることにある。
【０００９】
　請求項４に記載された発明の構成は、請求項１〜３のいずれかに記載された発明において、作動内容を制御するための制御素子を搭載した主制御基板が設けられており、その主制御基板が、監視手段とともに、ＩＣタグとアンテナとを取り付けた分割式の収容ケースに収納されていることにある。
【００１０】
　請求項５に記載された発明の構成は、請求項４に記載された発明において、分割式の収納ケースが、監視手段および／または記憶手段を収納する第一ケース本体と、主制御基板を収納する第二ケース本体と、ＩＣタグを取り付けたカバー部材とからなるものであるとともに、第一ケース本体に取付片が突設されており、かつ、その取付片にアンテナが取り付けられている一方、第二ケース本体に挿通孔が穿設されており、第一ケース本体の取付片が第二ケース本体の挿通孔を挿通した状態で、第一ケース本体の取付片に取り付けられたアンテナが、カバー部材に取り付けられたＩＣタグと近接した状態になっていることにある。
【００１１】
　請求項６に記載された発明の構成は、請求項１〜５のいずれかに記載された発明において、所定条件の成立により動作する可動部材が設けられており、その可動部材に、ＩＣタグが取り付けられているとともに、そのＩＣタグによる反射波の出力範囲内であって前記可動部材とは異なる部位にアンテナが取り付けられていることにある。
【００１２】
　請求項７に記載された発明の構成は、請求項２〜６のいずれかに記載された発明において、監視手段による判定結果が前回の判定から継続して正常である場合、および、監視手段による判定結果が前回の判定から継続して異常である場合には、記憶手段が監視履歴データを記憶しないことにある。
【００１３】
　請求項８に記載された発明の構成は、請求項１〜７のいずれかに記載された発明において、監視手段が、ＩＣタグに対して呼出波を送信して異常か否かの判定を行った後、直ちに、再度、ＩＣタグに対して呼出波を送信することにある。
【００１４】
　請求項９に記載された発明の構成は、請求項３〜８のいずれかに記載された遊技機と、その遊技機の出力手段が出力した監視履歴データの管理を行う管理コンピュータとを接続した遊技機の不正監視システムにある。
【発明の効果】
【００１５】
　請求項１に記載された遊技機は、複数のＩＣタグが、所定の可動部位および／または開放部位に設置されており、監視手段と複数のアンテナとが設けられているとともに、監視手段が、分割式の収容ケースに収納されており、かつ、その分割式の収容ケースの片方に、ＩＣタグの内の１つが設置されており、なおかつ、他方に、アンテナの内の１つが設けられており、そのアンテナの位置が、分割式の収納ケースを組み付けた場合にＩＣタグによる反射波の出力範囲内となり、収納ケースを開放した場合にＩＣタグによる反射波の出力範囲外となるように調整されているため、収納ケースが不正に開放された場合には、収納ケースに取り付けられたＩＣタグとアンテナとによって、直ちにその事態を検知することができるので、監視手段に記憶された監視履歴データを改竄する不正や、監視手段を破壊して監視不能としたり、Ｒ／Ｗユニット５６を破壊して監視不能としたり、Ｒ／Ｗユニット５６の監視動作を制御するプログラムを変更したりする不正を、非常に効果的に防止することができる。
【００１６】
　請求項２に記載された遊技機は、監視履歴データを記憶する記憶手段が設けられており、その記憶手段が、監視手段とともに、ＩＣタグとアンテナとを取り付けた分割式の収容ケースに収納されているため、収納ケースが不正に開放された場合には、収納ケースに取り付けられたＩＣタグとアンテナとによって、直ちにその事態を検知することができるので、記憶手段に記憶された監視履歴に関するデータを改竄する不正を、非常に効果的に防止することができる。
【００１７】
　請求項３に記載された遊技機は、監視履歴データを外部に出力する出力手段が設けられているため、監視手段によって異常と判断された場合に、外部で光や音により報知することが可能であるので、不正行為をきわめて効果的に防止することができる。また、出力手段を外部のコンピュータと接続することによって、外部から一括した不正監視をすることができる。
【００１８】
　請求項４に記載された遊技機は、作動内容を制御するための制御素子を搭載した主制御基板が設けられており、その主制御基板が、監視手段とともに、ＩＣタグとアンテナとを取り付けた分割式の収容ケースに収納されているため、収納ケースが不正に開放された場合には、収納ケースに取り付けられたＩＣタグとアンテナとによって、直ちにその事態を検知することができるので、主制御基板上に搭載された制御素子を不正な制御素子とすり替える不正を、非常に効果的に防止することができる。また、一組のＩＣタグとアンテナとによって、監視手段および主制御装置に対する不正を監視することができるので、製造コストも安価である。
【００１９】
　請求項５に記載された遊技機は、分割式の収納ケースが、監視手段および／または記憶手段を収納する第一ケース本体と、主制御基板を収納する第二ケース本体と、ＩＣタグを取り付けたカバー部材とからなるものであるとともに、第一ケース本体に取付片が突設されており、かつ、その取付片にアンテナが取り付けられている一方、第二ケース本体に挿通孔が穿設されており、第一ケース本体の取付片が第二ケース本体の挿通孔を挿通した状態で、第一ケース本体の取付片に取り付けられたアンテナが、カバー部材に取り付けられたＩＣタグと近接した状態になっている。したがって、第一ケース本体をカバー部材と分離しなければ、主制御基板を収納した第二ケース本体をカバー部材と分離することができず、第一ケース本体をカバー部材と分離した場合には、カバー部材に取り付けられたＩＣタグと第一ケース本体に取り付けられたアンテナとによって、直ちにその事態を検知することができるので、主制御基板上に搭載された制御素子を不正な制御素子とすり替える不正を、きわめて効果的に防止することができる。また、監視手段および／または記憶手段を収納する第一ケース本体に比べて、主制御基板を収納する第二ケース本体が十分に大きい場合であっても、同様に、第一ケース本体をカバー部材と分離しなければ、主制御基板を収納した第二ケース本体をカバー部材と分離することができないので、主制御装置を大型なものにした場合でも、主制御基板に対する不正を、きわめて効果的に防止することができる。
【００２０】
　請求項６に記載された遊技機は、所定条件の成立により動作する可動部材が設けられており、その可動部材に、ＩＣタグが取り付けられているとともに、そのＩＣタグによる反射波の出力範囲内であって前記可動部材とは異なる部位にアンテナが取り付けられているため、可動部材が作動すると反射波が受信できなくなるので、その反射波が受信できなくなった時刻や回数を、所定条件の成立の時刻や回数と照らし合わせることによって、所定条件の成立により動作する可動部材に対する不正行為の事態を、迅速かつ正確に検知することができる。
【００２１】
　請求項７に記載された遊技機は、監視手段による判定結果が前回の判定から継続して正常である場合、および、監視手段による判定結果が前回の判定から継続して異常である場合には、記憶手段が監視履歴データを記憶しないため、記憶手段のデータ記憶量を最小限に留めることができ、記憶手段が監視履歴のデータを過剰に記憶することに起因した異常事態の検知ミスの発生を防止することができる。
【００２２】
　請求項８に記載された遊技機は、監視手段が、ＩＣタグに対して呼出波を送信して異常か否かの判定を行った後、直ちに、再度、ＩＣタグに対して呼出波を送信するため、ＩＣタグ設置部位の異常をリアルタイムで検知することができる。
【００２３】
　請求項９に記載された遊技機の不正監視システムは、請求項３〜８のいずれかに記載された遊技機と、その遊技機の出力手段が出力した監視履歴データの管理を行う管理コンピュータとを接続したものであるため、不正情報管理コンピュータによって、各遊技機のＩＣタグ設置部位の異常を一括して把握することができるので、多くの遊技機に対する不正行為の有無を、きわめて短時間の内に容易にチェックすることができる。
【発明を実施するための最良の形態】
【００２４】
　以下、本発明の一実施形態であるパチンコ機、および、そのパチンコ機を用いた不正監視システムについて、図面に基づいて詳細に説明する。
【００２５】
［パチンコ機の構成］
　図１は、パチンコ機１の正面を示したものである。パチンコ機１は、中央よりやや上側に略正方形の遊技盤２が設けられており、その遊技盤２には、ガイドレール３で囲まれた略円形の遊技領域４が設けられている。また、遊技盤２の前方には、、ガラス板を嵌め込んだガラス枠１３が片開き自在に設置されている。さらに、遊技盤２の下側には、発射装置（図示せず）に遊技球を供給するための供給皿５が設けられており、その供給皿５の下側には、供給皿５から溢れた遊技球を貯留する貯留皿６が設けられている。加えて、供給皿５と貯留皿６との間には、効果音を発生させるスピーカー４８が設けられており、その貯留皿６の右側には、発射装置を操作するための発射ハンドル７が設けられている。
【００２６】
　また、遊技領域４の略中央には、特別図柄表示装置８が設けられている。特別図柄表示装置８は、液晶画面２３５に、種々の動画やメッセージ等を表示することができるようになっている。さらに、液晶画面２３５の上方には、普通図柄表示部８ａが設けられており、数字、アルファベット、記号、マーク等を表示することができるようになっている。さらに、特別図柄表示装置８の左右上方には、それぞれ、電飾風車９，１０が設けられており、それらの各電飾風車９，１０の下側には、それぞれ、普通図柄始動ゲート１１，１２が設けられている。また、特別図柄表示装置８の下側には、図柄始動口１５が設けられており、その図柄始動口１５の下方には、所定条件の成立により扉部材１６ａを開閉する可変入賞装置であるアタッカ部材部材１６０が設けられている。そして、アタッカ部材１６０の扉部材１６ａと開口部１６ｂとによって、大入賞口１６が構成されている。なお、遊技盤２には、上記した部材以外にも、種々の電飾ランプ、風車および多数の障害釘等が設けられている。
【００２７】
　また、図２、図３は、大入賞口１６の設置部位（アタッカ部材１６０）を示したものであり、扉部材１６ａの表面には、小型で扁平な長方形状のＩＣタグ１８６が貼り付けられている。なお、そのＩＣタグ１８６の上側には装飾シール等が貼付されており、ＩＣタグ１８６が遊技者から見えないようになっている。一方、開口部１６ｂの周囲には、ＩＣタグ１８６との間で、ノイズの影響を受けにくい所定の周波数の短波帯でＲＦ（Radio　Frequency）送受信（高周波無線による送受信）を行うアンテナ１６８が設けられている。なお、ＩＣタグ１８６は、送受信方向に指向性があり、アンテナ１６８に対して略平行に位置した場合にのみアンテナ１６８と送受信することができるようになっている。また、扉部材１６ａを閉じた状態においては、ＩＣタグ１８６とアンテナ１６８とが略同一平面上に位置するように調整されている。したがって、図２の如く、扉部材１６ａが閉じた状態においては、ＩＣタグ１８６とアンテナ１６８との間でＲＦ送受信をすることができるが、図３の如く、扉部材１６ａが所定の角度以上に開成すると、ＩＣタグ１８６とアンテナ１６８との間でＲＦ送受信をすることができなくなる。なお、アンテナ１６８とＩＣタグ１８６は、電磁波を媒体としてＲＦ送受信を行うので、誤動作を防止するために、大入賞口開放ソレノイド７０等の電磁波を発生する装置から離れた位置に配置されている。
【００２８】
　一方、図４は、パチンコ機１の背面を示したものであり、パチンコ１の背面の中央よりやや上側には、特別図柄表示装置８の裏面を覆うようにセンターカバー９０が配置されている。そして、そのセンターカバー９０の左下側には、監視手段であるＲ／Ｗ（リーダ／ライタ）ユニット５６とパチンコ機１の作動内容を制御する主制御基板４１とを一緒に収納したコントロールボックス２０１が設けられている。また、コントロールボックス２０１の右側には、効果音の発生を制御する音基板４３、各種の装置、部材への電源供給を制御する電源基板４２、遊技球の貸出や払出を制御する払出制御基板４５が、それぞれ、透明な樹脂製のボックスに収納された状態で設置されている。
【００２９】
［パチンコ機の制御機構］
　一方、図５は、パチンコ機１の制御機構を示したものである。パチンコ機１の制御部４０は、主制御基板４１、電源基板４２、音基板４３、図柄表示基板４４、払出制御基板４５、電飾基板４６、中継基板４７、発射基板６６等によって構成されている。そして、主制御基板４１には、プログラムにしたがって各種の処理を行うＬＳＩ５０等の種々の制御素子が設けられている。ＬＳＩ５０は、各種の演算処理を行うＣＰＵ５１、データやプログラム等を一時的に記憶するＲＡＭ５２、各種のデータや制御プログラム等を記憶したＲＯＭ５３等を一体にモールディングしたものである。また、主制御基板４１には、音基板４３、図柄表示基板４４、払出制御基板４５、電飾基板４６、中継基板４７等と信号の送受信を行うためのＩ／Ｏインターフェイス５４が設けられており、そのＩ／Ｏインターフェイス５４には、各種のデータや信号を外部に出力するための出力ポート５５が接続されている。
【００３０】
［コントロールボックスの構成］
　図６は、コントロールボックス２０１を示したものであり、図７、図８は、コントロールボックス２０１を分解して示したものである。コントロールボックス２０１は、カバー部材２０２、中ケース本体２０３、外ケース本体２０４、主制御基板４１、Ｒ／Ｗユニット５６等によって構成されている（なお、カバー部材２０２、中ケース本体２０３、外ケース本体２０４によって、収納ケースが構成されている）。
【００３１】
　カバー部材２０２は、透明な合成樹脂によって開口した箱状に形成されており、長方形状のフロントパネル２０８の周囲が、略直角に後方（図６〜８においてカバー部材２０２の左側を前方とした場合の後方、以下同じ）に折り返された状態になっている。フロントパネル２０８の右側の折返し部２０９の後端縁際には、４個の縦長な係止孔２１１，２１１・・が等間隔で穿設されている。また、フロントパネル２０８の左側の折返し部２１０には、２個の螺着翼２１２，２１２が連設されており、各螺着翼２１２，２１２には、４個ずつ、筒状のネジ保持部２１３，２１３・・が設けられている。各ネジ保持部２１３，２１３・・は、中心から放射方向に配置された切断容易な２つの小径連結体によって、螺着翼２１２に一体的に設けられており、各ネジ保持部２１３，２１３・・の内部には、図示しないワンウェイタイプの封印ネジ（ドライバを利用して一方向にのみ回転させることができ、他方向に回転させることができないかしめネジ）が保持されている。さらに、上側の螺着翼２１２の上端、および、下側の螺着翼２１２の下端には、それぞれ、係合孔２１５が穿設されている。また、フロントパネル２０８の上側には、コネクタ保護体２１６が突設されており、そのコネクタ保護体２１６の上端際には、コネクタ挿通窓２１７が穿設されている。そして、右側の折返し部２０９の中央よりやや上方の内側には、小型で扁平な長方形状のＩＣタグ８６が、接着剤等によって接着されている。
【００３２】
　また、中ケース本体２０３は、透明な合成樹脂によって、扁平な直方体状に形成されており、前方に位置した長方形の平板状の基板支持体（図示せず）の周囲が、略直角に後方に折り返された状態になっている。そして、右側の折返し部２２１の前端際には、４つの縦長な係止突起２２３，２２３・・が等間隔で突設されている。また、基板支持体の右端縁際で右側の折返し部２２１と隣接した位置には、縦長なアンテナ挿通孔２２６が穿設されている。さらに、左側の折返し部２２２には、２個の支持翼２２４，２２４が連設されており、各支持翼２２４，２２４には、４個ずつ、ネジ孔２２５，２２５・・が等間隔に穿設されている。加えて、上側の支持翼２２４の上端、および、下側の支持翼２２４の下端には、それぞれ、先端を矢尻状に形成した係合体２２７，２２７が突設されている。また、左右の折返し部２２１，２２２の内面には、それぞれ、嵌合凹部（図示せず）が設けられている。そして、中ケース本体２０３の基板支持体には、主制御基板４１が螺着されており、主制御基板４１の右端に設けられた長方形状の切り欠き２２８が、基板支持体のアンテナ挿通孔２２６と合致した状態になっている。なお、主制御基板４１には、パチンコ機１の作動内容を制御するためのＬＳＩ５０（ＲＯＭ５３）等の種々の制御素子が搭載されている。
【００３３】
　一方、外ケース本体２０４は、透明な合成樹脂によって開口した箱状に形成されており、長方形の平板状の基板支持体（図示せず）の周囲が、略直角に前方に折り返された状態になっている。そして、右側の折返し部２３１には、長方形状の取付片２３３が、他の部分より前方に突出するように延設されており、その取付片２２３の内面には、ＩＣタグ８６とＲＦ送受信を行うコイル状のアンテナ６８が設置されている。また、右側の折返し部２３１、左側の折返し部２３２には、それぞれ、嵌合突起２３４，２３４・・が突設されている。そして、外ケース本体２０４の基板支持体には、Ｒ／Ｗユニット５６が螺着されている。なお、Ｒ／Ｗユニット５６には、各種の演算処理を行うＣＰＵ５６ａ、フラグやデータ等を一時的に記憶するＲＡＭ５６ｂ、制御プログラムおよび各種の初期値のデータ等を記憶したＲＯＭ５６ｃ、ＩＣタグ８６，１８６との通信履歴を記憶する記憶手段であるＥＥＰＲＯＭ５６ｄ、ＩＣタグ８６，１８６へ呼出波を送信しＩＣタグ８６，１８６から反射波を受信する送受信回路であるＲＦ回路５６ｇ、外部の管理用のコンピュータ等にデータや信号を出力するためのＬＡＮカード５６ｈ、パチンコ機１の主制御基板４１から各種信号を受信する入力ポート５６ｉ、エラー表示をするための７セグメント表示器６９等が搭載されている。
【００３４】
　コントロールボックス２０１は、外ケース本体２０４に設けられた取付片２３３を、中ケース本体２０３に設けられたアンテナ挿通孔２２６に挿通させた状態で、外ケース本体２０４の左右の折返し部２３１，２３２の外側に設けられた嵌合突起２３４，２３４・・を、中ケース本体２０３の左右の折返し部２２１，２２２の内側に設けられた嵌合凹部に嵌合させることによって、外ケース本体２０４と中ケース本体２０３とが一体になっている。また、中ケース本体２０３に螺着された主制御基板４１上のコネクタ２３６を、カバー部材２０２のコネクタ挿通窓２１７に挿通させ、中ケース本体２０３の右側の折返し部２２１の外側に突設された各係止突起２２３，２２３・・を、カバー部材２０２の右側の折返し部２０９に穿設された各係止孔２１１，２１１・・に係止させた状態で、中ケース本体２０３の左側の各支持翼２２４，２２４に突設された各係合体２２７，２２７を、カバー部材２０２の左側の各螺着翼２１２，２１２に穿設された各係合孔２１５，２１５に係止させ、カバー部材２０２の上側の螺着翼２１２のネジ保持部２１３，２１３・・の内の１つに保持された封印ネジと、下側の螺着翼２１２のネジ保持部２１３，２１３・・の内の１つに保持された封印ネジとを、それぞれ、中ケース本体２０３の上下の支持翼２２４，２２４に螺着させることによって、外ケース本体２０４と一体になった中ケース本体２０３が、カバー部材２０２と一体になっている。そして、カバー部材２０２に取り付けられたＩＣタグ８６と、外ケース本体２０４の取付片２３３に取り付けられたアンテナ６８とが、約１ｍｍの距離を隔てて対峙した状態になっている。
【００３５】
　かかるコントロールボックス２０１は、カバー部材２０２のネジ保持部２１３，２１３と中ケース本体２０３の支持翼２２４，２２４とが、ワンウェイタイプの封印ネジによって螺着されているため、封印ネジを螺着時と反対方向に回転させても、螺着状態が解除されない。それゆえ、カバー部材２０２を取り外す場合には、中ケース本体２０３の支持翼２２４，２２４と螺着したネジ保持部２１３，２１３の前方に設けられた小径連結体を、ニッパ等の工具で切断し、各ネジ保持部２１３，２１３をカバー部材２０２から切り離さなければならない。反対に、小径連結体を切断したネジ保持部２１３以外のネジ保持部２１３，２１３・・を中ケース本体２０３の支持翼２２４と螺着することによって、再度、カバー部材２０２を中ケース本体２０３に合着させることができる。それゆえ、コントロールボックス２０１は、カバー部材２０２と中ケース本体２０３との合着、分離を４回繰り返すことができ、カバー部材２０２と中ケース本体２０３との合着、分離回数を目視によって確認することができる。
【００３６】
　また、アンテナ６８とＩＣタグ８６は、約２ｍｍ以内の間隔である場合には、所定の周波数（たとえば、１３．５６ＭＨｚ）の短波帯で、ノイズの影響の少ないＲＦ送受信を行うことができ、Ｒ／Ｗユニット５６のＲＦ回路５６ｇから呼出波を送信するとＩＣタグ８６が予め登録された識別データを含む反射波を返信する。一方、アンテナ６８とＩＣタグ８６は、間隔が約２ｍｍを超えると、通信することができなくなる。したがって、カバー部材２０２が取り外されたり、外ケース本体２０４が取り外されたりすると、アンテナ６８とＩＣタグ８６は、通信することができなくなる。また、コントロールボックス２０１は、組み付けられた状態においては、アンテナ６８とＩＣタグ８６との距離が約１ｍｍに設定されているため、振動等によるわずかな揺れでは、通信できなくなる事態が生じたりしない。なお、アンテナ６８とＩＣタグ８６との通信可能距離は、アンテナ６８のコイルの巻き数やリアクタンス値により調節することができる。加えて、アンテナ６８とＩＣタグ８６は、電磁波を媒体としてＲＦ送受信を行うので、誤動作を防止するために、賞品球払出装置４９のソレノイドや発射モータ６７等の電磁波を発生する装置から離れた位置に配置されている。
【００３７】
［ＩＣタグの構成］
　また、図９は、ＩＣタグ８６の外観を示したものであり、図１０は、ＩＣタグ８６の制御機構を示したものである。ＩＣタグ８６は、薄いフレキシブルプリント基板２１９上に、Ｒ／Ｗユニット５６のアンテナ６８からの呼出波に応答して反射波を放出するＲＦ回路８６ａとＥＥＰＲＯＭ８６ｃとを一体にしたＩＣチップ８６ｄ、およびアンテナ回路８６ｂを設けたものであり、ＲＦ回路８６ａにＥＥＰＲＯＭ８６ｃとアンテナ回路８６ｂとが接続された状態になっている。そして、ＥＥＰＲＯＭ８６ｃの上書消去禁止区域には、ＩＣタグ８６を他のＩＣタグ８６と識別するためのＩＤコード、メーカーＩＤ、ホールＩＤ等の識別データが記憶されている。ＩＣタグ８６は、Ｒ／Ｗユニット５６からアンテナ６８を介して呼出波が送信されてくると、その呼出波をアンテナ回路８６ｂが受信し、呼出波に含まれた搬送波成分をＲＦ回路８６ａで整流することによって直流電圧を得ることができる。したがって、ＩＣタグ８６は、外部からの電源供給を受けることなく必要な時にいつでも反射波を返信することができる。反射波の返信は、ＥＥＰＲＯＭ８６ｃからＩＤコード等の識別データを読み出し、識別データを反射波に乗せてＲＦ回路８６ａから送信することによって行う。また、Ｒ／Ｗユニット５６のＲＡＭ５６ｂから呼出波に乗せて送信されたデータをＥＥＰＲＯＭ８６ｃに記憶しておくこともできる。なお、大入賞口１６の扉部材１６ａに取り付けられたＩＣタグ１８６の構造は、コントロールボックス２０１に取り付けられたＩＣタグ８６の構造と同じである。
【００３８】
［Ｒ／Ｗユニットの構成］
　また、図１１は、Ｒ／Ｗユニット５６の制御機構を示したものであり、Ｒ／Ｗユニット５６のＣＰＵ５６ａは、ＲＡＭ５６ｂ、ＲＯＭ５６ｃ、ＥＥＰＲＯＭ５６ｄ、タイマ５６ｆ、ＲＦ回路５６ｇと接続されている。さらに、ＣＰＵ５６ａは、Ｉ／Ｏインターフェイス５６ｅを介して、ＬＡＮカード５６ｈ、入力ポート５６ｉ、７セグメント表示器６９と接続されている。加えて、ＲＦ回路５６ｇは、同軸ケーブル５６ｋを介して、コントロールボックス２０１の外ケース本体２０４に取り付けられたアンテナ６８、および、大入賞口１６の開口部１６ｂの周囲に取り付けられたアンテナ１６８と接続されている。また、Ｒ／Ｗユニット５６は、電源基板４２を介した電源供給を受けず、パチンコ機１が設置される島設備から直接に電源供給を受けるように構成されている。
【００３９】
［パチンコ機の作動内容］
　かかるパチンコ機１は、ＬＳＩ５０のＲＯＭ５３に記憶されたメインプログラムにしたがって、ＣＰＵ５１が各種の演算を行い、特別図柄表示装置８、賞品球払出装置４９等の各種の装置との信号の送受信を行うことによって、主たる作動を実行する。そして、発射ハンドル７の回転操作によって遊技領域４に打ち出された遊技球が図柄始動口１５に入賞すると、特別図柄表示装置８に表示された図柄を変動させ（他の図柄と順々に入れ替わる動画を表示し）、所定時間後に停止させて新たな図柄を表示し、その新たな図柄として、予め設定された「大当たり図柄」を表示した場合には、「大当たり」を生起させ、主制御基板４１から電飾基板４６、図柄表示基板４４、音基板４３、Ｒ／Ｗユニット５６等に、所定の「大当たり信号」を送信する。そして、それらの基板を介して、大入賞口１６の扉部材１６ａを所定回数だけ断続的に開成させるとともに、特別図柄表示装置８において所定の動画を表示し、各種の電飾ランプ等を所定の態様で発光させ、スピーカ４８から所定の効果音を発生させる。さらに、大入賞口１６等の入賞装置に遊技球が入賞すると、賞品球払出装置４９が、所定数の遊技球を賞品球として供給皿５に払い出す。
【００４０】
［Ｒ／Ｗユニットの作動内容］
　Ｒ／Ｗユニット５６は、パチンコ機１が設置される島設備から電源供給を受けている間中、常時、コントロールボックス２０１および大入賞口１６の不正監視動作を実行する。すなわち、Ｒ／Ｗユニット５６は、ＲＦ回路５６ｇからアンテナ６８，１６８を介して、コントロールボックス２０１に取り付けられたＩＣタグ８６および大入賞口１６に取り付けられたＩＣタグ１８６に対して、ポーリング（呼出波の発信）を実行する。上述したように、コントロールボックス２０１が開放され、ＩＣタグ８６とアンテナ６８とが離れると、Ｒ／Ｗユニット５６のＲＦ回路５６ｇは、ＩＣタグ８６から反射波を受信できなくなる。また、大入賞口１６が開放し、ＩＣタグ１８６とアンテナ１６８とが離れると、Ｒ／Ｗユニット５６のＲＦ回路５６ｇは、ＩＣタグ１８６から反射波を受信できなくなる。したがって、Ｒ／Ｗユニット５６のＲＦ回路５６ｇがＩＣタグ８６から反射波を受信できない場合には、コントロールボックス２０１が開放されている事態が想定され、ＲＦ回路５６ｇがＩＣタグ１８６から反射波を受信できない場合には、大入賞口１６が開放されている事態が想定される。それゆえ、Ｒ／Ｗユニット５６は、コントロールボックス２０１に取り付けられたＩＣタグ８６から直ちに反射波が返信されなかったり、返信までの時間が変化したりした場合には、コントロールボックス２０１に異常が発生した（開放された）と判定して、ＥＥＰＲＯＭ５６ｄに、ポーリングを実行した時刻を記憶するとともに、ＬＡＮカード５６ｈによって、そのポーリングを実行した時刻を含むデータ（監視履歴データ）を、外部に出力する。
【００４１】
　また、「大当たり」が生起した場合には、不正行為を伴うことなく大入賞口１６の扉部材１６ａが開放するため、かかる扉部材１６ａの正常な開放を不正による開放と誤認しないように、Ｒ／Ｗユニット５６は、大入賞口１６の扉部材１６ａに取り付けられたＩＣタグ１８６から直ちに反射波が返信されなかったり、返信までの時間が変化したりした場合には、「大当たり」生起時に主制御基板４１から送信される「大当たり信号」を受信しているか否か判断し、「大当たり信号」を受信していないと判断した場合にのみ、大入賞口１６に異常が発生した（扉部材１６ａが不正に開放された）と判定して、ＥＥＰＲＯＭ５６ｄに、ポーリングを実行した時刻を記憶するとともに、ＬＡＮカード５６ｈによって、そのポーリングを実行した時刻を含む監視履歴データを、外部に出力する。さらに、Ｒ／Ｗユニット５６は、ＩＣタグ８６，１８６から予め登録されている識別データと異なる識別データを含む反射波を受信した場合には、ＩＣタグ８６，１８６が別のもの（偽造をしたもの）にすり替えられた事態が想定されるため、コントロールボックス２０１あるいは大入賞口１６に異常が発生したと判定して、ＥＥＰＲＯＭ５６ｄに、ポーリングを実行した時刻を記憶するとともに、ＬＡＮカード５６ｈによって、そのポーリングを実行した時刻を含む監視履歴データを、外部に出力する。加えて、所定時間内に反射波が返信された場合、反射波が返信されない場合ともに、直ちに、次のポーリングを実行する。加えて、異常が発生したと判定した場合には、７セグメント表示器６９が異常発生箇所（コントロールボックス２０１あるいは大入賞口１６）、異常の累積発生回数等を表示する。
【００４２】
［不正監視システムの構成］
　上記の如く構成されたパチンコ機１，１・・は、たとえば、図１２の如き不正監視システムに利用することができる。不正監視システム２００は、パチンコホールの各設置島に、パチンコ機１，１・・が背中合わせに２列に並べられており、各設置島に、それぞれ、パチンコ機１，１・・から送信されたデータの管理を行う管理コンピュータである管理機１００が設置されている。また、設置島に設置された各パチンコ機１，１・・のＲ／Ｗユニット５６が、ＬＡＮケーブル等の通信ケーブル１５０を介して、管理機１００に接続されている。さらに、各設置島に設置された管理機１００，１００・・は、パチンコホール全体を管理するホールコンピュータ３００に接続されている。
【００４３】
［管理機の構成］
　図１３は、管理機１００を示したものであり、管理機１００は、正面に表示器１０７が設けられており、上部に警告ランプ１０８が設けられている。警告ランプ１０８は、上段に、大入賞口１６の扉部材１６ａの異常（不正な開放）を報知する第一ランプ１０８ａが設けられており、下段に、コントロールボックス２０１の異常（不正な開放）を報知する第二ランプ１０８ｂが設けられている。なお、第一ランプ１０８ａと第二ランプ１０８ｂは異なる色に発光するように構成されている。また、表示器１０７は、液晶画面を有しており、その液晶画面に、異常が発生したパチンコ機１の機台番号、および異常が発生した箇所等のメッセージを表示することができるようになっている。さらに、警告ランプ１０８は、所定時間（たとえば、５秒間）点滅した後に消灯するようになっており、表示器１０７は、テンキー２３７を利用して暗証番号を入力し、クリアボタン１１０をプッシュ操作することにより、表示内容を消去することができるようになっている。
【００４４】
　また、図１４は、管理機１００の制御機構を示したものであり、各種の演算を行うＣＰＵ１０１には、フラグやデータ等を一時的に記憶するＲＡＭ１０２、管理プログラムおよび各種の初期値のデータ等を記憶したＲＯＭ１０３、暗証番号データベースや、履歴データベースを記憶したＥＥＰＲＯＭ１０４等が接続されている。また、ＣＰＵ１０１は、Ｉ／Ｏインターフェイス１０５を介して、クリアボタン１１０、警告ランプ１０８、表示器１０７等と接続されており、Ｉ／Ｏインターフェイス１０５、通信回路１０６を介して、各パチンコ機１，１・・のＲ／Ｗユニット５６から送信された「監視履歴データ」を受信したり、Ｒ／Ｗユニット５６に対して各種の指令信号等を送信したりすることができるようになっている。
【００４５】
［不正監視システムの作動内容］
　以下、不正監視システム２００による不正の監視処理の内容について説明する。不正監視システム２００においては、各パチンコ機１，１・・のＲ／Ｗユニット５６が、常時、コントロールボックス２０１と大入賞口１６の扉部材１６ａとに取り付けられたＩＣタグ８６，１８６に対してポーリングを実行し、ＩＣタグ８６，１８６から反射波を受信し、反射波に含まれたＩＤコードを読み取ることによって、各パチンコ機１，１・・のコントロールボックス２０１の状態、および、大入賞口１６の扉部材１６ａの状態を検知している。また、その結果、異常事態が発生したと判定された場合には、Ｒ／Ｗユニット５６が、その異常事態に関する「監視履歴データ」を記憶するとともに、管理機１００に送信する。さらに、不正監視システム２００は、管理機１００に対して所定の操作をすることにより、各パチンコ機１，１・・のＲ／Ｗユニット５６に信号を送信し、コントロールボックス２０１に取り付けられたＩＣタグ８６および大入賞口１６の扉部材１６ａに取り付けられたＩＣタグ１８６に対してポーリングを実行させることによって、各パチンコ機１，１・・のコントロールボックス２０１の状態、および、大入賞口１６の扉部材１６ａの状態を瞬時に検知することができる。加えて、各パチンコ機１，１・・のコントロールボックス２０１あるいは大入賞口１６の扉部材１６ａにおいて異常が発生した場合には、管理機１００によって、速やかに報知することができる。
【００４６】
［Ｒ／Ｗユニットによるコントロールボックスの監視処理］
　図１５は、監視システム２００において各パチンコ機１，１・・のＲ／Ｗユニット５６がコントロールボックス２０１の状態を監視する際の処理内容を示すフローチャートである。Ｒ／Ｗユニット５６は、常時、島電源から電源供給を受けており、パチンコホールの営業中・夜間を問わず、常時、コントロールボックス２０１の監視処理を行う。コントロールボックス２０１の監視処理においては、まず、ＣＰＵ５６ａの指令により、ＲＦ回路５６ｇが、アンテナ６８を介してＩＣタグ８６に呼出波を送信することによってポーリング（呼び出し）を実行する（Ｓ１）。そして、ＩＣタグ８６が反射波にＩＤコード（識別データ）を乗せて返信してくるのを待ち、設定時間（たとえば、５０ｍｓ）内にＩＣタグ８６から反射波が返信されたか否かを判断する（Ｓ３）。
【００４７】
　設定時間内に反射波が返ってきた場合（Ｓ３でＹＥＳの場合）には、返信されたＩＤコードが正しいものであるかどうかを判断し（Ｓ１３）、ＩＤコードが正しい場合（Ｓ１３でＹＥＳの場合）には、ＩＤエラーフラグがＯＮにされているかどうかを判断する（Ｓ２３）。なお、前回のポーリング時に正しいＩＤコード（予めＩＣタグに記憶させたＩＤコード）を含む反射波が返信されてきた場合には、ＩＤエラーフラグはＯＦＦにされており、前回のポーリング時に間違ったＩＤコード（正しいＩＤと異なるＩＤコード）を含む反射波が返信された場合には、ＩＤエラーフラグはＯＮにされている。そして、ＩＤエラーフラグがＯＦＦの場合（Ｓ２３でＮＯの場合）には、消失フラグがＯＮになっているかどうかを判断する（Ｓ２７）。なお、前回のポーリング時に設定時間内に反射波が返信された場合には、消失フラグはＯＦＦにされており、前回のポーリング時に設定時間内に反射波が返信されなかった場合には、消失フラグはＯＮにされている。消失フラグがＯＦＦになっていれば（Ｓ２７でＮＯの場合）、前回のポーリングから継続して設定時間内に正しいＩＤコードを含む反射波が返信されていることとなるので、コントロールボックス２０１が正常（閉じられたまま）であると判定し、「監視履歴データ」の記憶、管理機１００へのデータ送信を行うことなく、処理終了かどうかを判断し（Ｓ３５）、通常は、再度、速やかにポーリングを繰り返す（Ｓ１）。
【００４８】
　一方、設定時間内に反射波が返ってこなかった場合（Ｓ３でＮＯの場合）には、故障でない限り、コントロールボックス２０１が開放されてＩＣタグ８６とアンテナ６８とが通信可能範囲外まで離れた事態が想定されるので、コントロールボックス２０１の状態は異常であると判定される。また、異常事態が継続したものであれば、異常事態が発生した時点で、異常発生時刻の記憶および異常発生データの管理機１００への送信がすでに行われている。したがって、再度、同一の異常事態に関するデータを記憶したり、管理機１００に送信したりする必要はないため、ＥＥＰＲＯＭ５６ｄに記憶されている消失フラグがＯＦＦにされているかどうかを判断することにより、今回のポーリングで検知した異常事態が継続したものであるか否かを判断する（Ｓ５）。なお、かかるステップを実行することによって、同一の異常事態に関するデータを重ねて記憶することによるＥＥＰＲＯＭ５６ｄの記憶可能領域の低減を防止することができる。
【００４９】
　そして、消失フラグがＯＮになっている場合（Ｓ５でＮＯの場合）には、前回のポーリングでも返信がなく、今回のポーリングで検知した異常事態は前回のポーリングから継続したものであるので、異常発生時刻の記憶および異常発生データの管理機１００への送信がすでに行われている。したがって、「監視履歴データ」の記憶や、管理機１００へのデータ送信を行うことなく、処理終了かどうかを判断し（Ｓ３５）、通常は、再度、速やかにポーリングを繰り返す（Ｓ１）。
【００５０】
　一方、消失フラグがＯＦＦになっている場合（Ｓ５でＹＥＳの場合）には、今回のポーリングで初めて返信が途絶えたことを意味する。したがって、コントロールボックス２０１に異常事態が発生した（コントロールボックス２０１が開放された）と判定して、ポーリングした時刻を消失時刻としてＥＥＰＲＯＭ５６ｄに記憶する（Ｓ７）。そして、消失フラグをＯＮにする（Ｓ９）。さらに、ＩＤコードと消失時刻とをセットにして、「監視履歴データ」として、ＬＡＮカード５６ｈから管理機１００に送信する（Ｓ１１）。なお、「監視履歴データ」を受信した管理機１００は、表示器１０７によって、異常が発生した事態を報知する。
【００５１】
　また、設定時間内に反射波が返信されたものの（Ｓ３でＹＥＳの場合）、返信された反射波に含まれたＩＤコードが正しいものでない場合（Ｓ１３でＮＯの場合）には、ＩＣタグ８６が別のもの（偽造されたもの）とすり替えられた可能性があるため、コントロールボックス２０１の状態は異常であると判定される。また、異常事態が継続したものであれば、異常事態が発生した時点で、異常発生時刻の記憶および異常発生データの管理機１００への送信がすでに行われているため、再度、同一の異常事態に関するデータを記憶したり、管理機１００に送信したりする必要はないため、ＥＥＰＲＯＭ５６ｄに記憶されているＩＤエラーフラグがＯＦＦにされているかどうかを判断することにより、今回のポーリングで検知された異常事態が継続したものであるか否かを判断する（Ｓ１５）。
【００５２】
　そして、ＩＤエラーフラグがＯＮになっている場合（Ｓ１５でＮＯの場合）には、前回のポーリングでも返信がなく、今回のポーリングで検知された異常事態は前回から継続したものであるので、異常発生時刻の記憶および異常発生データの管理機１００への送信がすでに行われている。したがって、「監視履歴データ」の記憶、管理機１００へのデータ送信を行うことなく、処理終了かどうかを判断し（Ｓ３５）、通常は、再度、速やかにポーリングを繰り返す（Ｓ１）。
【００５３】
　一方、ＩＤエラーフラグがＯＦＦになっている場合（Ｓ１５でＹＥＳの場合）には、今回のポーリングにおいて初めて間違ったＩＤコードを含む反射波が返信されたことを意味する。したがって、コントロールボックス２０１に異常事態が発生した（ＩＣタグ８６がすり替えられた）と判定して、ポーリングした時刻をＩＤエラー発生時刻としてＥＥＰＲＯＭ５６ｄに記憶する（Ｓ１７）。そして、ＩＤエラーフラグをＯＮにする（Ｓ１９）。さらに、ＩＤコードとＩＤエラー発生時刻とをセットにして、「監視履歴データ」であるＩＤエラーデータとして、ＬＡＮカード５６ｈから管理機１００に送信する（Ｓ２１）。なお、「監視履歴データ」を受信した管理機１００は、表示器１０７によって、異常が発生した事態を報知する。
【００５４】
　また、反射波に含まれたＩＤコードが正しい場合（Ｓ１３でＹＥＳの場合）には、ＩＤエラーフラグがＯＮにされているかどうかを判断する（Ｓ２３）。そして、ＩＤエラーフラグがＯＮになっている場合（Ｓ２３でＹＥＳの場合）には、今回正しいＩＤコードに戻ったことを意味するので、ＩＤエラーフラグをＯＦＦにする（Ｓ２５）。しかる後に、消失フラグがＯＮになっているかどうかを判断する（Ｓ２７）。
【００５５】
　消失フラグがＯＮになっている場合（Ｓ２７でＹＥＳの場合）には、前回のポーリングにおいては反射波の返信がなかったが今回のポーリングにおいては反射波を返信してきたことを意味するので、コントロールボックス２０１の状態に変化が生じたと判定して、反射波の返信時刻を復帰時刻としてＥＥＰＲＯＭ５６ｄに記憶する（Ｓ２９）。なお、返信がなくなった時点で消失時刻を記憶しているため、記憶した復帰時刻から、コントロールボックス２０１が開放されていた時間を算出することができる。復帰時刻を記憶した後には、消失フラグをＯＦＦにする（Ｓ３１）。そしてＩＤコードと復帰時刻とをセットにして、「監視履歴データ」として、ＬＡＮカード５６ｈから管理機１００に送信する（Ｓ３３）。しかる後に、処理終了かどうかを判断し（Ｓ３５）、通常は、再度、速やかにポーリングを繰り返す（Ｓ１）。
【００５６】
　以上のような監視処理を行うことにより、Ｒ／Ｗユニット５６は、前回のポーリングから継続して正しいＩＤコードを含む反射波が設定時間内に返信された場合には、コントロールボックス２０１の状態が正常であると判定する。また、設定時間内に返信がない場合、返信された反射波に含まれたＩＤコードが間違っている場合には、コントロールボックス２０１が異常であると判定する。さらに、正常であると判定する場合、異常であると判定する場合とも、その状態が前回から継続したものであるか否かを確認し、今回のポーリングで初めて状態の変化が起こっている場合にのみ、変化した時刻を記憶する。加えて、設定時間内に正しいＩＤコードを含む反射波が返信された場合でも、前回のポーリング時に返信がなかった場合には、コントロールボックス２０１の状態に変化があったとして、返信された時刻を記憶する。また、状態の変化した時刻を、管理機１００へ送信する。さらに、Ｒ／Ｗユニット５６は、ポーリングに伴う一連の処理を終了した後には、直ちに、次のポーリングを実行し、ポーリングを常に繰り返す監視処理をすることによって、最小限の「監視履歴データ」のみを記憶しながら、効率的にコントロールボックス２０１の状態を監視する。
【００５７】
［Ｒ／Ｗユニットによる大入賞口の監視処理］
　図１６は、監視システム２００においてＲ／Ｗユニット５６が大入賞口１６の状態を監視する際の処理内容を示すフローチャートである。Ｒ／Ｗユニット５６による大入賞口１６の監視処理は、上記したコントロールボックス２０１の監視処理と略同様であるが、パチンコ機１で「大当たり」が生起した場合に大入賞口１６の扉部材１６ａが開成するため、コントロールボックス２０１の監視処理と異なり、大入賞口１６の扉部材１６ａに取り付けられたＩＣタグ１８６から反射波の返信がなかった場合に、主制御基板４１から送信される「大当たり信号」を参照することにより、ＩＣタグ１８６の無応答が「大当たり」の生起による扉部材１６ａの開成に起因したものであるか否かを判断する。なお、パチンコホールの営業時間が終了し、パチンコ機１の主電源が落とされた後に、「大当たり」の生起を装って大入賞口１６の扉部材１６ａが不正に開放される事態は想定しにくいため、パチンコ機１の主電源が落とされた後には、大入賞口１６の監視処理は行われない。
【００５８】
　Ｒ／Ｗユニット５６による大入賞口１６の監視処理においては、コントロールボックス２０１の監視処理と同様に、ＣＰＵ５６ａの指令により、ＲＦ回路５６ｇが、アンテナ１６８を介してＩＣタグ１８６に呼出波を送信することによってポーリングを実行する（Ｓ１０１）。そして、ＩＣタグ１８６が反射波にＩＤコードを乗せて返信してくるのを待ち、設定時間（たとえば、５０ｍｓ）内にＩＣタグ１８６から反射波が返信されたか否かを判断する（Ｓ１０３）。
【００５９】
　そして、設定時間内に応答が帰ってこなかった場合（Ｓ１０３でＮＯの場合）には、故障でない限り、ＩＣタグ１８６を取り付けた扉部材１６ａが開成した事態が想定されるので、入力ボート５６ｉが主制御基板４１の出力ボート５５から「大当たり信号」を受信しているか否かを判断する（Ｓ１０４）。「大当たり信号」を受信している場合（Ｓ１０４でＹＥＳの場合）には、「大当たり」の生起による扉部材１６ａの正常な開放であると考えられるので、「監視履歴データ」の記憶、管理機１００への「監視履歴データ」の送信を行うことなく、処理終了かどうかを判断し（Ｓ１３５）、通常は、再度、速やかにポーリングを繰り返す（Ｓ１０１）。
【００６０】
　一方、「大当たり信号」を受信していなければ（Ｓ１０４でＮＯの場合）、扉部材１６ａが不正に開放されてＩＣタグ１８６とアンテナ１６８とが通信可能範囲外まで離れたためであると考えられるから、大入賞口１６の状態が異常であると判定される。また、異常事態が継続したものであれば、異常事態が発生した時点で、異常発生時刻の記憶および異常発生データの管理機１００への送信がすでに行われているので、再度、同一の異常事態に関するデータを記憶したり、管理機１００に送信したりする必要はないため、ＥＥＰＲＯＭ５６ｄに記憶されている消失フラグがＯＦＦにされているかどうかを判断することにより、今回のポーリングで検知された異常事態が継続したものであるか否かを判断する（Ｓ１０５）。そして、消失フラグがＯＮになっている場合（Ｓ１０５でＮＯの場合）には、前回のポーリングでも返信がなく、今回のポーリングで検知された異常事態は前回から継続したものであるので、異常発生時刻の記憶および異常発生データの管理機１００への送信がすでに行われている。したがって、「監視履歴データ」の記憶、管理機１００へのデータ送信を行うことなく、処理終了かどうかを判断し（Ｓ１３５）、通常は、再度、速やかにポーリングを繰り返す（Ｓ１０１）。
【００６１】
　一方、消失フラグがＯＦＦになっている場合（Ｓ１０５でＹＥＳの場合）には、今回のポーリングで初めて返信が途絶えたことを意味するので、大入賞口１６に異常事態が発生した（扉部材１６ａが不正に開放された）と判断して、ポーリングした時刻を消失時刻としてＥＥＰＲＯＭ５６ｄに記憶する（Ｓ１０７）。そして、消失フラグをＯＮにする（Ｓ１０９）。さらに、ＩＤコードと消失時刻とをセットにして、「監視履歴データ」として、ＬＡＮカード５６ｈから管理機１００に送信する（Ｓ１１１）。なお、Ｒ／Ｗユニット５６による大入賞口１６の監視処理におけるその他のステップは、コントロールボックス２０１の監視処理におけるステップと同様である。
【００６２】
　以上のような監視処理を行うことにより、Ｒ／Ｗユニット５６は、前回のポーリングから継続して正しいＩＤコードを含む反射波が設定時間内に返信された場合には、大入賞口１６が正常であると判定する。また、設定時間内に返信がなく「大当たり信号」を受信していない場合、返信された反射波に含まれたＩＤコードが間違っている場合には、大入賞口１６が異常であると判定する。さらに、正常であると判定する場合、異常であると判定する場合とも、その状態が前回から継続したものであるか否かを確認し、今回のポーリングで初めて状態の変化が起こっている場合にのみ、変化した時刻を記憶する。加えて、設定時間内に正しいＩＤコードを含む反射波が返信された場合でも、前回のポーリング時に「大当たり信号」を検知していないにも拘わらず返信がなかった場合には、大入賞口１６の状態に変化があったとして返信された時刻を記憶する。また、状態の変化した時刻を、管理機１００へ送信する。さらに、Ｒ／Ｗユニット５６は、ポーリングに伴う一連の処理を終了した後には、直ちに、次のポーリングを実行し、ポーリングを常に繰り返す監視処理をすることによって、最小限の「監視履歴データ」のみを記憶しながら、効率的に大入賞口１６の状態を監視する。
【００６３】
［管理機の作動内容］
　また、図１７は、監視システム２００において管理機１００が行う監視処理の内容を示すフローチャートである。管理機１００は、パチンコホールの開店に伴って電源が投入されると、一連の開店時処理（Ｓ３０１〜Ｓ３１１）を実行する。開店時処理においては、まず、暗証番号、パスワード、ＩＤカード等の管理者権限の入力を受け付け、入力された管理者権限が、予め管理機１００のＥＥＰＲＯＭ１０４内に登録されているものであるか否かを確認し、予め登録されているものである場合には、管理者権限があると判断する（Ｓ３０１）。管理者権限があると判断した場合（Ｓ３０１でＹＥＳの場合）には、通信ケーブル１５０を介して、各パチンコ機１，１・・のＲ／Ｗユニット５６に対してポーリングを実行し（Ｓ３０３）、閉店時間中における「監視履歴データ」を受信する（Ｓ３０５）。なお、管理者権限がないと判断した場合（Ｓ３０１でＮＯの場合）には、管理機１００は、一切の処理を実行しない。そして、各パチンコ機１，１・・のＲ／Ｗユニット５６から消失時刻、復帰時刻等の「監視履歴データ」を受信した場合（Ｓ３０７でＹＥＳの場合）には、その「監視履歴データ」をＥＥＰＲＯＭ１０４の履歴データベースに記憶するとともに（Ｓ３０９）、その「監視履歴データ」の内容を表示器１０７に表示する（Ｓ３１１）。
【００６４】
　管理機１００は、開店時処理を終了した後には、一連の営業中監視処理（Ｓ３１２〜Ｓ３４１）を繰り返し実行する。営業中監視処理においては、まず、各パチンコ機１，１・・のＲ／Ｗユニット５６から「監視履歴データ」を受信したかどうかを判断する（Ｓ３１２）。そして、「監視履歴データ」を受信した場合（Ｓ３１２でＹＥＳの場合）には、その「監視履歴データ」がＩＤエラーデータであるか否かを判断する（Ｓ３２７）。ＩＤエラーデータである場合（Ｓ３２７でＹＥＳの場合）には、そのＩＤエラーデータに含まれたＩＤコードから、ＩＤエラーデータを送信したパチンコ機１の機台番号とＩＤエラーを生じたＩＣタグの設置場所（コントロールボックス２０１または大入賞口１６）を判別し、それらの情報とＩＤエラーを生じた時刻とを、ＥＥＰＲＯＭ１０４の履歴データベースに記憶する（Ｓ３２９）。履歴データベースは、図１８に示すように、ＩＤコード、パチンコ機１の機台番号、間違ったＩＤコードを含む反射波を送信したＩＣタグの設置場所、消失時刻、復帰時刻、消失時刻から復帰時刻までの時間である識別不能時間、ＩＤエラー時刻等を、約一週間分記憶したものである。しかる後、表示器１０７に「○○番台　コントロールボックス　ＩＤエラー」のようなエラー表示を行い（Ｓ３３５）、警告ランプ１０８を点灯させる（Ｓ３３７）。かかる警告ランプ１０８の点灯および表示器１０７のエラー表示によって、パチンコホールの係員等が、ＩＤエラーデータを送信したパチンコ機１のコントロールボックス２０１や大入賞口１６に異常が発生したことを認識することができる。
【００６５】
　受信した「監視履歴データ」がＩＤエラーデータでない場合（Ｓ３２７でＮＯの場合）には、ＩＤコードと消失時刻とをセットにした消失データであるかどうかを判断する（Ｓ３３１）。消失データである場合（Ｓ３３１でＹＥＳの場合）には、その消失データに含まれたＩＤコードから、「監視履歴データ」を送信したパチンコ機１の機台番号と反射波を返信しなかったＩＣタグの設置場所とを判断し、それらの情報と消失時刻とをＥＥＰＲＯＭ１０４の履歴データベースに記憶する（Ｓ３３３）。しかる後に、表示器１０７に「○○番台　大入賞口　不正開放」のようなエラー表示を行い（Ｓ３３５）、警告ランプ１０８を点灯させる（Ｓ３３７）。
【００６６】
　一方、受信した「監視履歴データ」が消失データでない場合（Ｓ３３１でＮＯの場合）には、その「監視履歴データ」は、一旦、Ｒ／Ｗユニット５６とＩＣタグとが通信不能状態から通信可能状態に復帰したことを示す復帰データであるため、履歴データベース内で、送信された「監視履歴データ」に含まれたＩＤコードに関する管理データを検索し、該当した管理データに復帰時刻を記憶するとともに（Ｓ３３９）、消失時刻から復帰時刻までの識別不能時間を算出して、その識別不能時間を該当した管理データに記憶する。
【００６７】
　一方、パチンコホールの係員等によってマニュアル操作される場合には、まず、管理者権限があるか否かが判断され（Ｓ３１５）、管理者権限があると判断された場合（Ｓ３１５でＹＥＳの場合）にのみ、種々のマニュアル操作が可能となる。そして、クリアボタン１１０がプッシュ操作されるた場合（Ｓ３１７でＹＥＳの場合）には、表示器１０７のエラー表示を消去する（Ｓ３１９）。かかる処理により、表示器１０７のエラー表示に対してパチンコホールの係員等が対処した場合に、不要となった表示器１０７のエラー表示を消去することができる。
【００６８】
　また、クリアボタン１１０がプッシュ操作された場合（Ｓ３２１でＹＥＳの場合）には、ＣＰＵ１０１が、ＥＥＰＲＯＭ１０４、各パチンコ機１，１・・のＲ／Ｗユニット５６（場合によっては、ＩＣタグ８６，１８６）に消去指令信号を送信することによって、ＥＥＰＲＯＭ１０４に記憶された「監視履歴データ」を消去するとともに、各パチンコ機１，１・・のＲ／Ｗユニット５６へ消去指令信号を送信することによって、各パチンコ機１，１・・のＲ／Ｗユニット５６のＥＥＰＲＯＭ５６ｄに記憶された「監視履歴データ」を消去する（Ｓ３２３）。なお、管理機１００のＥＥＰＲＯＭ１０４、各パチンコ機１，１・・のＲ／Ｗユニット５６のＥＥＰＲＯＭ５６ｄに記憶された「監視履歴データ」は、所定の期間を経過した後に、ＣＰＵ１０１から消去指令信号を受けると消失するように構成されている。かかる処理により、不要となった「監視履歴データ」を消去し、管理機１００のＥＥＰＲＯＭ１０４、各パチンコ機１，１・・のＲ／Ｗユニット５６のＥＥＰＲＯＭ５６ｄの記憶可能領域を確保することができる。
【００６９】
　さらに、管理機１００のテンキー２３７によって所定の数字が入力された場合（Ｓ３１７でＮＯであり、Ｓ３２１でＮＯの場合）には、各パチンコ機１，１・・のＲ／Ｗユニット５６に対してポーリングを実行し（Ｓ３２５）、各パチンコ機１，１・・のＲ／Ｗユニット５６のＥＥＰＲＯＭ５６ｄ内の「監視履歴データ」を収集する（Ｓ３１２）。かかる処理により、管理機１００に接続された各パチンコ機１，１・・のコントロールボックス２０１や大入賞口１６の状態を、随時チェックすることができる。
【００７０】
　加えて、管理機１００は、所定の期間（たとえば、一週間）毎に、ＥＥＰＲＯＭ１０４の履歴データベースに記憶された「監視履歴データ」を、ホールコンピュータ３００に送信する。また、ホールコンピュータ３００から、「監視履歴データ」の送信指令信号を受信した場合にも、ＥＥＰＲＯＭ１０４の履歴データベースに記憶された「監視履歴データ」を、ホールコンピュータ３００に送信する。
【００７１】
[実施形態のパチンコ機の効果]
　パチンコ機１は、上記の如く、無線による所定の呼出波を受信すると記憶している固有の識別データを含む反射波を無線により所定範囲内に出力するＩＣタグ１８６が、大入賞口１６の扉部材１６ａに設置されており、そのＩＣタグ１８６に対して呼出波を送信するとともに、各ＩＣタグが出力する反射波を受信し、かつ、呼出波を送信してから所定時間内に反射波を受信しなかった場合、あるいは、受信した反射波に含まれた識別データが予め登録されている識別データと異なっている場合に異常と判定するＲ／Ｗユニット５６と、そのＲ／Ｗユニット５６から送信された呼出波を外部に出力するとともに各ＩＣタグ１８６からの反射波を入力するアンテナ１６８が設けられている。また、Ｒ／Ｗユニット５６が、分割式の収容ケース（カバー部材２０２、中ケース本体２０３、外ケース本体２０４）に収納されており、かつ、その分割式の収容ケースの片方（カバー部材２０２）に、ＩＣタグ８６が設置されており、なおかつ、他方（外ケース本体２０４）に、アンテナ６８が設けられており、そのアンテナ６８の位置が、分割式の収納ケースを組み付けた場合にＩＣタグ８６による反射波の出力範囲内となり、収納ケースを開放した場合にＩＣタグ８６による反射波の出力範囲外となるように調整されている。したがって、パチンコ機１は、収納ケースが不正に開放された場合には、収納ケースに取り付けられたＩＣタグ８６とアンテナ６８とによって、直ちにその事態を検知することができるので、Ｒ／Ｗユニット５６に記憶された「監視履歴データ」を改竄する不正や、Ｒ／Ｗユニット５６を破壊して監視不能としたり、Ｒ／Ｗユニット５６の監視動作を制御するプログラムを変更したりする不正を、非常に効果的に防止することができる。
【００７２】
　また、パチンコ機１は、Ｒ／Ｗユニット５６による判定手段、Ｒ／Ｗユニット５６が反射波を受信できる状態から反射波を受信できない状態に変わった時刻、Ｒ／Ｗユニット５６が反射波を受信できない状態から受信できる状態に変わった時刻、または、Ｒ／Ｗユニット５６が予め登録されている識別データ（ＩＤコード）と異なる識別データを受信した時刻等の「監視履歴データ」を記憶する記憶手段であるＥＥＰＲＯＭ５６ｄが設けられており、そのＥＥＰＲＯＭ５６ｄがＲ／Ｗユニット５６に搭載された状態で、ＩＣタグ８６とアンテナ６８とを取り付けた分割式の収容ケースに収納されている。したがって、収納ケースが不正に開放された場合には、収納ケースに取り付けられたＩＣタグ８６とアンテナ６８とによって、直ちにその事態を検知することができるので、ＥＥＰＲＯＭ５６ｄに記憶された監視履歴に関するデータを改竄する不正を、非常に効果的に防止することができる。
【００７３】
　さらに、パチンコ機１は、「監視履歴データ」を外部に出力する出力手段であるＬＡＮカード５６ｈが設けられているため、Ｒ／Ｗユニット５６によって異常と判断された場合に、外部で光や音により報知することが可能であるので、不正行為をきわめて効果的に防止することができる。また、ＬＡＮカード５６ｈを管理機１００等の外部のコンピュータと接続することによって、外部から一括した不正監視をすることができる。
【００７４】
　加えて、パチンコ機１は、作動内容を制御するための制御素子を搭載した主制御基板４１が設けられており、その主制御基板４１が、Ｒ／Ｗユニット５６とともに、ＩＣタグ８６とアンテナ６８とを取り付けた分割式の収容ケースに収納されているため、収納ケースが不正に開放された場合には、収納ケースに取り付けられたＩＣタグ８６とアンテナ６８とによって、直ちにその事態を検知することができるので、主制御基板４１上に搭載されたＬＳＩ５０を不正なＬＳＩとすり替える不正を、非常に効果的に防止することができる。また、一組のＩＣタグ８６とアンテナ６８とによって、Ｒ／Ｗユニット５６および主制御基板４１に対する不正を監視することができるので、製造コストも安価である。
【００７５】
　また、パチンコ機１は、分割式の収納ケースが、Ｒ／Ｗユニット５６を収納する第一ケース本体（外ケース本体２０４）と、主制御基板４１を収納する第二ケース本体（中ケース本体２０３）と、ＩＣタグ８６を取り付けたカバー部材２０２とからなるものであるとともに、第一ケース本体に取付片３３が突設されており、かつ、その取付片３３にアンテナ６８が取り付けられている一方、第二ケース本体にアンテナ挿通孔２２６が穿設されており、第一ケース本体の取付片３３が第二ケース本体のアンテナ挿通孔２２６を挿通した状態で、第一ケース本体の取付片３３に取り付けられたアンテナ６８が、カバー部材２０２に取り付けられたＩＣタグ８６と近接した状態になっている。したがって、第一ケース本体をカバー部材２０２と分離しなければ、主制御基板４１を収納した第二ケース本体をカバー部材２０２と分離することができず、第一ケース本体をカバー部材２０２と分離した場合には、カバー部材２０２に取り付けられたＩＣタグ８６と第一ケース本体に取り付けられたアンテナ６８とによって、直ちにその事態を検知することができるので、主制御基板４１上に搭載されたＬＳＩ５０を不正なＬＳＩとすり替える不正を、きわめて効果的に防止することができる。また、Ｒ／Ｗユニット５６を収納する第一ケース本体に比べて、主制御基板４１を収納する第二ケース本体が十分に大きい場合であっても、同様に、第一ケース本体をカバー部材２０２と分離しなければ第二ケース本体をカバー部材２０２と分離することができないので、主制御装置４１を大型なものにした場合でも、主制御基板４１に対する不正を、きわめて効果的に防止することができる。
【００７６】
　さらに、パチンコ機１は、「大当たり」の生起により動作する扉部材１６ａが設けられており、その扉部材１６ａに、ＩＣタグ１８６が取り付けられているとともに、そのＩＣタグ１８６による反射波の出力範囲内であって扉部材１６ａとは異なる部位にアンテナ１６８が取り付けられているため、扉部材１６ａが作動すると反射波が受信できなくなるので、その反射波が受信できなくなった時刻や回数を、「大当たり」の生起の時刻や回数と照らし合わせることによって、扉部材１６ａの不正開放等の事態を、迅速かつ正確に検知することができる。
【００７７】
　加えて、パチンコ機１は、Ｒ／Ｗユニット５６による判定結果が前回の判定から継続して正常である場合、および、Ｒ／Ｗユニット５６による判定結果が前回の判定から継続して異常である場合には、ＥＥＰＲＯＭ５６ｄが「監視履歴データ」を記憶しないため、ＥＥＰＲＯＭ５６ｄのデータ記憶量を最小限に留めることができ、ＥＥＰＲＯＭ５６ｄが「監視履歴データ」を過剰に記憶することに起因した異常事態の検知ミスの発生を防止することができる。
【００７８】
　また、パチンコ機１は、監視手段Ｒ／Ｗユニット５６が、ＩＣタグ８６，１８６に対して呼出波を送信して異常か否かの判定を行った後、直ちに、再度、ＩＣタグ８６，１８６に対して呼出波を送信するため、ＩＣタグ設置部位であるコントロールボックス２０１や大入賞口１６の異常をリアルタイムで検知することができる。
【００７９】
［不正監視システムの効果］
　一方、不正監視システム２００は、パチンコ機１，１・・と、それらのパチンコ機１，１・・のＲ／Ｗユニット５６のＬＡＮカード５６ｈが出力した「監視履歴データ」の管理を行う管理コンピュータである管理機１００とを接続したものであるため、管理機１００によって、各パチンコ機１，１・・のコントロールボックス２０１や大入賞口１６の異常を一括して把握することができるので、多くのパチンコ機１，１・・に対する不正行為の有無を、きわめて短時間の内に容易にチェックすることができる。
【００８０】
　なお、本発明の遊技機の構成は、上記実施形態の態様に何ら限定されるものではなく、Ｒ／Ｗユニット、ＩＣタグ、コントロールボックス、主制御基板、大入賞口等の形状・構造等の構成を、本発明の趣旨を逸脱しない範囲で、必要に応じて適宜変更することができる。
【００８１】
　たとえば、遊技機は、上記実施形態の如く、コントロールボックスの他に、大入賞口の扉部材にＩＣタグとアンテナとを設けたものに限定されず、不正にこじ開けられる可能性が高いガラス枠等の別の部位にＩＣタグとアンテナとを設けたものでも良い。また、コントロールボックス以外に、大入賞口の扉部材のみにＩＣタグとアンテナとを設けたものに限定されず、コントロールボックス以外の複数の部位にＩＣタグとアンテナとを設けたものに変更することも可能である。
【００８２】
　また、Ｒ／Ｗユニットは、島設備から電源供給を受けるものに限定されず、内蔵したバックアップ電源や外部のバックアップ電源から電源供給を受けるものや、通常時には主電源から電源基板を介して電源供給を受けており主電源が遮断された場合にのみバックアップ電源から電源供給を受けるもの等でも良い。
【００８３】
　加えて、遊技機の各部位に設けるＩＣタグは、上記実施形態の如く、小型で扁平な長方形状のものに限定されず、コイン型やスティック型等の別の形状を有するものでも良い。また、上記実施形態の如く、電磁誘導方式によってアンテナ（Ｒ／Ｗユニット）と信号の送受信を行うものに限定されず、電磁結合方式、マイクロ波方式、光方式等の別の方法によって、アンテナ（Ｒ／Ｗユニット）と信号の送受信を行うものに変更することができる。さらに、ＩＣタグの取付方法は、所定の部材や装置に接着する方法に限定されず、所定の部材や装置に一体的にモールディングする方法等の別の方法を採用することができる。加えて、ＩＣタグを、所定の場所から剥がすと機能しなくなるように構成することも可能である。
【００８４】
　また、アンテナの取付方法も、所定の部位に接着する方法に限定されず、所定の部材や装置に一体的にモールディングする方法等の別の方法を採用することができる。さらに、上記実施形態の如く、扉部材が前方に片開きする大入賞口にＩＣタグを取り付ける場合には、ガラス枠やガラス板にアンテナを取り付けることも可能である。
【００８５】
　さらに、Ｒ／Ｗユニットは、消失時刻や復帰時刻等の監視履歴データをＥＥＰＲＯＭに記憶するものに限定されず、ハードディスクや光ディスク等の媒体に記憶するものや、監視履歴データをＲＡＭに一時的に記憶して外部の管理機等に出力した後に消去するもの等でも良い。
【００８６】
　加えて、Ｒ／Ｗユニットは、ＩＣタグから返信がなかった場合に、ポーリング時間を消失時間としてＲＡＭに一時的に記憶し、復帰した場合に、復帰した時刻と合わせてＩＣタグに記憶させるものに変更することも可能である。かかる構成を採用した場合には、万が一、記憶手段や外部の管理機等に記憶された監視履歴データが消去されてしまった場合でも、消去された監視履歴データをＩＣタグから再度読み取ることができるため、Ｒ／Ｗユニットの不正監視機能がより精度の高いものとなる。
【００８７】
　また、パチンコ機は、外ケース本体に設けられた取付片が中ケース本体の端縁際を挿通した状態で、取付片に取り付けられたアンテナが、カバー部材に取り付けられたＩＣタグと近接しているものに限定されず、外ケース本体に設けられた取付片が中ケース本体の中央（端縁際以外の部分）を挿通した状態で、取付片に取り付けられたアンテナが、カバー部材に取り付けられたＩＣタグと近接しているものや、カバー部材に設けられた取付片が中ケース本体を挿通した状態で、取付片に取り付けられたＩＣタグが、外ケース本体に取り付けられたアンテナと近接しているもの等に変更することも可能である。そのように変更した場合でも、パチンコ機は、同様な不正防止効果を奏することができる。
【００８８】
　加えて、パチンコ機は、Ｒ／Ｗユニットを収納する収納ケースが、外ケース本体と中ケース本体とカバー部材との３つの部材からなるものに限定されず、収納ケースがアンテナを取り付けたケース本体とＩＣタグを取り付けたカバー部材との２つの部材からなり、主制御基板がＲ／Ｗユニットと一緒にケース本体内に収納されているもの等に変更することも可能である。
【００８９】
　また、パチンコ機は、Ｒ／Ｗユニットが異常を検知した場合に、外部の管理機を利用して、その事態を報知するものに限定されず、報知手段が設けられており、その報知手段によって異常を報知するもの等に変更することもできる。
【００９０】
　なお、本発明の遊技機は、上記実施形態の如きパチンコ機に限定されず、スロットマシーン、スロットマシーン型パチンコ機等の他の遊技機に変更することも可能である。
【００９１】
　一方、本発明の不正監視システムの構成も、上記実施形態の態様に何ら限定されるものではなく、管理機、ホールコンピュータ等の構成を、本発明の趣旨を逸脱しない範囲で、必要に応じて適宜変更することができる。
【００９２】
　たとえば、不正監視システムは、有線の通信ケーブルを用いて遊技機のＲ／Ｗユニットと管理機とを接続したものに限定されず、Ｒ／Ｗユニットと管理機とが赤外線や無線によって信号の送受信を行うもの等でも良い。
【００９３】
　また、不正監視システムは、各設置島に管理機を１台ずつ設置したものに限定されず、複数の設置島に１台の管理機を設置したものでも良い。また、パチンコホール全体を管理するホールコンピュータが管理機の機能を兼ねたものに変更することも可能である。
【００９４】
　さらに、不正監視システムは、上記実施形態の如く、Ｒ／Ｗユニットの記憶手段（ＲＡＭやＥＥＰＲＯＭ等）に監視履歴データを記憶するとともに管理機へ監視履歴データの送信を行うものに限定されず、パチンコホールの営業中には、Ｒ／Ｗユニットの記憶手段に監視履歴データを記憶させることなく、管理機への監視履歴データの送信のみを行い、閉店後にのみ、Ｒ／Ｗユニットの記憶手段に監視履歴データを記憶させるもの等に変更することも可能である。
【００９５】
　加えて、不正監視システムは、管理機において識別不能時間を算出するものではなく、Ｒ／Ｗユニットが識別不能時間を算出して復帰データとともに管理機に送信するように構成することも可能である。また、不正監視システムは、管理機やホールコンピュータが、パチンコホールの外部に設けられたコンピュータ等に監視履歴データを送信するもの等でも良い。
【００９６】
　さらに、上記実施形態においては、ポーリングの際のＩＣタグから返信される反射波の待ち時間が５０ｍｓに設定されているが、反射波の待ち時間は、数ｍｓ〜数秒の範囲内で必要に応じて適宜変更することができる。
【産業上の利用可能性】
【００９７】
　本発明の遊技機は、パチンコ機、スロットマシーン等として好適に利用することができる。また、本発明の不正監視システムは、遊技機用の不正監視システムとして好適に利用することができる。
【図面の簡単な説明】
【００９８】
【図１】パチンコ機の正面図である。
【図２】大入賞口設置部位（アタッカ部材）の斜視図（扉部材が閉じた状態）である。
【図３】大入賞口設置部位（アタッカ部材）の斜視図（扉部材が閉いた状態）である。
【図４】パチンコ機の背面図である。
【図５】パチンコ機の制御機構を示すブロック図である。
【図６】コントロールボックスの斜視図（内部を一部透視した斜視図）である。
【図７】コントロールボックスの分解斜視図（内部を一部透視した斜視図）である。
【図８】コントロールボックスの分解斜視図である。
【図９】ＩＣタグの正面図である。
【図１０】ＩＣタグの制御機構を示すブロック図である。
【図１１】Ｒ／Ｗユニットの制御機構を示すブロック図である。
【図１２】不正監視システムを示すブロック図である。
【図１３】管理機の正面図である。
【図１４】管理機の制御機構を示すブロック図である。
【図１５】コントロールボックスの状態を監視する監視処理の内容を示すフローチャートである。
【図１６】大入賞口の状態を監視する監視処理の内容を示すフローチャートである。
【図１７】管理機による処理の内容を示すフローチャートである。
【図１８】監視履歴データのデータベースを示す説明図である。
【符号の説明】
【００９９】
　１・・パチンコ機、４１・・主制御基板、５６・・Ｒ／Ｗユニット（監視手段）、５６ｄ・・ＥＥＰＲＯＭ（記憶手段）、５６ｈ・・ＬＡＮカード（出力手段）、６８，１６８・・アンテナ、８６，１８６・・ＩＣタグ、２０１・・コントロールボックス、２０２・・カバー部材（収納ケース）、２０３・・中ケース本体（収納ケース）、２０４・・外ケース本体（収納ケース）、２２６・・アンテナ挿通孔、２３３・・取付片、１００・・管理機（不正情報管理コンピュータ）、３００・・ホールコンピュータ。
【図１】
2004081848.tif 000003
【図２】
2004081848.tif 000004
【図３】
2004081848.tif 000005
【図４】
2004081848.tif 000006
【図５】
2004081848.tif 000007
【図６】
2004081848.tif 000008
【図７】
2004081848.tif 000009
【図８】
2004081848.tif 000010
【図９】
2004081848.tif 000011
【図１０】
2004081848.tif 000012
【図１１】
2004081848.tif 000013
【図１２】
2004081848.tif 000014
【図１３】
2004081848.tif 000015
【図１４】
2004081848.tif 000016
【図１５】
2004081848.tif 000017
【図１６】
2004081848.tif 000018
【図１７】
2004081848.tif 000019
【図１８】
2004081848.tif 000020